(57)【要約】【課題】  制御基板が基板ボックスで密閉され基板ボックスに放熱穴が設けられている構造を用いた場合に、制御基板に対して不正行為がなされることを防止する。【解決手段】  内部に制御基板（主基板）３１を収納する基板ボックス１００において、上面１１０に、制御基板３１において発生する熱を放熱する放熱穴１３１が設けられ、基板ボックス１００の内部で上面１１０と制御基板３１との間に、放熱穴２３１を有する板状の中間部材２０１が設けられ、放熱穴２３１が、制御基板３１から放熱穴１３１に延びる垂線上からずれた位置に設けられている。【選択図】  図３
2005160595.tif 000002
【特許請求の範囲】
【請求項１】
遊技者が所定の遊技を行い、所定の景品付与条件が成立すると遊技者に所定の遊技価値を付与する遊技機であって、
景品の付与に関わる制御を行う回路部品が搭載された制御基板と、
内部に前記制御基板を収納する基板ボックスとを備え、
前記基板ボックスの表面に、前記制御基板において発生する熱を放熱する放熱穴が設けられ、
前記基板ボックスの内部であって前記基板ボックスの表面と前記制御基板との間に、前記制御基板において発生する熱を前記放熱穴に放熱する放熱通路を有する中間部材が設けられ、
前記放熱通路は、前記基板ボックスの表面を正面視したときに前記放熱穴と重複しない位置に設けられている
ことを特徴する遊技機。
【請求項２】
基板ボックスの内部に、中間部材を着脱可能に支持するための支持部材が設けられた
請求項１記載の遊技機。
【請求項３】
放熱穴の周囲から中間部材に向かって延設された第１の補助部材と、放熱通路の周囲から基板ボックスの表面に向かって延設された第２の補助部材とを備え、
前記第１の補助部材と前記第２の補助部材との延設された長さの和が、前記表面と前記中間部材との間の長さよりも大きくなるように、前記第１の補助部材の長さと前記第２の補助部材の長さとが設定されている
請求項１または請求項２記載の遊技機。
【請求項４】
放熱穴から離間した位置であって基板ボックスの表面を正面視したときに放熱穴と重複する蓋状部材を備えた
請求項１から請求項３のうちのいずれかに記載の遊技機。
【請求項５】
少なくとも放熱穴と放熱通路のいずれか一方に、物体が通過したことにより変形する変形部材が設けられた
請求項１から請求項４のうちのいずれかに記載の遊技機。
【発明の詳細な説明】
【技術分野】
【０００１】
本発明は、遊技者の操作に応じて遊技が行われるパチンコ遊技機やスロット機等の遊技機に関する。
【背景技術】
【０００２】
入賞の発生等の所定の景品付与条件が成立すると遊技者に所定の遊技価値を付与するパチンコ遊技機等において、マイクロコンピュータその他の回路部品を搭載した１つまたは複数の制御基板が、遊技機の裏面に設置されている。制御基板に搭載されている正規の回路部品が、不正に景品付与条件を成立させることが可能な不正回路部品に交換されたり、不正に景品付与条件を成立させることを可能にする部材が接続されたりすることを防止するために、回路基板、特に遊技の全体的な制御を行う遊技制御手段（遊技制御回路）が搭載されている遊技制御基板は、例えば直方体の基板ボックスで覆われている。基板ボックスは、一般に、直方体において上の面が存在しない形状である枠状の下ケースに、直方体において下の面が存在しない形状である上ケースが嵌り合う構造である。なお、遊技価値とは、景品としての遊技球等の遊技媒体や、遊技者に与えられる得点などのことである。
【０００３】
そして、上ケースと下ケースとは、例えばワンウェイねじ（ねじ締め方向にしか回らないねじ。一旦締め付けるとねじを取り外すことはできない。）で固着される。基板ボックス内の制御基板を露出させようとする場合には、ワンウェイねじの取付部分を切断する必要がある。従って、取付部分の切断の履歴から制御基板が露出された回数がわかる。管理者等が把握している取付部分の切断の履歴（回数）よりも実際の切断の回数が多い場合には、基板ボックスが不正に開けられて制御基板が露出され、不正行為が行われた可能性があることがわかる。
【０００４】
制御基板は基板ボックスに覆われた状態になるので、基板ボックスの上ケースの上面に、放熱用の穴（放熱穴）が設けられている（例えば、特許文献１参照。）。制御基板に搭載されているマイクロコンピュータ等の回路部品が発生した熱は、放熱穴を介して基板ボックスの外部に逃がされる。
【０００５】
【特許文献１】特開２００３−２１４４１３号公報（段落００５４、図５）
【発明の開示】
【発明が解決しようとする課題】
【０００６】
上述したように、不正行為を防止するために制御基板が基板ボックスで密閉されるので、基板ボックスには放熱穴を設ける必要がある。すると、基板ボックスの外部から放熱穴に金属などの細線（例えばピアノ線）を通し、その細線を制御基板に搭載されている回路部品に到達させることが可能になる。つまり、基板ボックスを開けたりすることなく、細線などを用いて不正行為を行うことが可能であるという課題がある。
【０００７】
本発明は、そのような課題を解決するための発明であって、制御基板が基板ボックスで密閉され基板ボックスに放熱穴が設けられている構造を用いた場合でも、制御基板に対して不正行為がなされることを防止できる遊技機を提供することを目的とする。
【課題を解決するための手段】
【０００８】
本発明による遊技機は、遊技者が所定の遊技を行い、所定の景品付与条件（例えば、入賞口への入賞）が成立すると遊技者に所定の遊技価値を付与する遊技機であって、景品の付与に関わる制御を行う回路部品が搭載された制御基板（例えば主基板３１）と、内部に制御基板を収納する基板ボックス（例えば基板ボックス１００）とを備え、基板ボックスの表面に、制御基板において発生する熱を放熱する放熱穴（例えば放熱穴１３１）が設けられ、基板ボックスの内部であって基板ボックスの表面と制御基板との間に、制御基板において発生する熱を放熱穴に放熱する放熱通路（例えば放熱穴２３１）を有する板状の中間部材（例えば中間部材２０１）が設けられ、放熱通路は、基板ボックスの表面を正面視したときに放熱穴と重複しない位置に設けられていることを特徴する。
【０００９】
基板ボックスの内部に、中間部材を着脱可能に支持するための支持部材（例えば爪部を有する突起部１５１）が設けられていてもよい。
【００１０】
放熱穴の周囲から中間部材に向かって延設された第１の補助部材（例えば筒状部材１４１）と、放熱通路の周囲から基板ボックスの表面に向かって延設された第２の補助部材（例えば筒状部材２４１）とを備え、第１の補助部材と第２の補助部材との延設された長さの和が、表面と中間部材との間の長さよりも大きくなるように、第１の補助部材の長さと第２の補助部材の長さとが設定されていることが好ましい。
【００１１】
放熱穴から離間した位置であって基板ボックスの表面を正面視したときに放熱穴と重複する蓋状部材（例えば筒状部材１４２と蓋部１４３）を備えていてもよい。
【００１２】
少なくとも放熱穴と放熱通路のいずれか一方に、物体が通過したことにより変形する変形部材（例えば変形部材１７１，１７２）が設けられていてもよい。
【発明の効果】
【００１３】
請求項１記載の発明では、制御基板からの放熱の効果を維持しつつ、制御基板に対する不正行為を防止することができる。
【００１４】
請求項２記載の発明では、制御基板に対する不正行為を防止する構造を、簡素な構造で実現できる。
【００１５】
請求項３記載の発明では、制御基板に対する不正行為をより困難にすることができる。
【００１６】
請求項４記載の発明では、制御基板に対する不正行為をより困難にすることができる。
【００１７】
請求項５記載の発明では、管理者等が、不正行為が行われた可能性があることを容易に認識することができる。
【発明を実施するための最良の形態】
【００１８】
実施の形態１．
以下、本発明の一実施形態を図面を参照して説明する。
まず、遊技機の一例であるパチンコ遊技機の全体の構成について説明する。図１はパチンコ遊技機を正面からみた正面図である。なお、以下の実施の形態では、パチンコ遊技機を例に説明を行うが、本発明による遊技機はパチンコ遊技機に限られず、スロット機などの他の遊技機に適用することもできる。
【００１９】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。
【００２０】
図１に示すように、パチンコ遊技機１は、額縁状に形成されたガラス扉枠２を有する。ガラス扉枠２の下部表面には打球供給皿（上皿）３がある。打球供給皿３の下部には、打球供給皿３に収容しきれない遊技球を貯留する余剰球受皿４と遊技球を発射する打球操作ハンドル（操作ノブ）５が設けられている。ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されている。
【００２１】
遊技領域７の中央付近には、それぞれが識別情報としての図柄を可変表示する複数の可変表示部を含む可変表示装置（特別図柄表示装置）９が設けられている。可変表示装置９には、例えば「左」、「中」、「右」の３つの可変表示部（図柄表示エリア）がある。また、可変表示装置９には、始動入賞口１４に入った有効入賞球数すなわち始動記憶数を表示する４つの特別図柄始動記憶表示エリア（始動記憶表示エリア）１８が設けられている。有効始動入賞がある毎に、表示色が変化する（例えば青色表示から赤色表示に変化）始動記憶表示エリアを１増やす。そして、可変表示装置９の可変表示が開始される毎に、表示色が変化している始動記憶数表示エリアを１減らす（すなわち表示色をもとに戻す）。
【００２２】
可変表示装置９の下方には、始動入賞口１４としての可変入賞球装置１５が設けられている。始動入賞口１４に入った入賞球は、遊技盤６の背面に導かれ、始動口スイッチ１４ａによって検出される。また、始動入賞口１４の下部には開閉動作を行う可変入賞球装置１５が設けられている。可変入賞球装置１５は、ソレノイド１６によって開状態とされる。
【００２３】
可変入賞球装置１５の下部には、特定遊技状態（大当り状態）においてソレノイド２１によって開状態とされる開閉板２０が設けられている。開閉板２０は大入賞口（可変入賞球装置）を開閉する手段である。開閉板２０から遊技盤６の背面に導かれた入賞球のうち一方（Ｖ入賞領域：特別領域）に入った入賞球はＶカウントスイッチ２２で検出され、開閉板２０からの入賞球はカウントスイッチ２３で検出される。遊技盤６の背面には、大入賞口内の経路を切り換えるためのソレノイド２１Ａも設けられている。
【００２４】
ゲート３２に遊技球が入賞しゲートスイッチ３２ａで検出されると、普通図柄表示器１０の表示の可変表示が開始される。この実施の形態では、左右のランプ（点灯時に図柄が視認可能になる）が交互に点灯することによって可変表示が行われ、例えば、可変表示の終了時に右側のランプが点灯すれば当たりとなる。そして、普通図柄表示器１０における停止図柄が所定の図柄（当り図柄）である場合に、可変入賞球装置１５が所定回数、所定時間だけ開状態になる。普通図柄表示器１０の近傍には、ゲート３２に入った入賞球数を表示する４つのＬＥＤによる表示部を有する普通図柄始動記憶表示器４１が設けられている。ゲート３２への入賞がある毎に、普通図柄始動記憶表示器４１は点灯するＬＥＤを１増やす。そして、普通図柄表示器１０の可変表示が開始される毎に、点灯するＬＥＤを１減らす。
【００２５】
遊技盤６には、複数の入賞口２９，３０，３３，３９が設けられ、遊技球の入賞口２９，３０，３３，３９への入賞は、それぞれ入賞口スイッチ２９ａ，３０ａ，３３ａ，３９ａによって検出される。各入賞口２９，３０，３３，３９は、遊技媒体を受け入れて入賞を許容する領域として遊技盤６に設けられる入賞領域を構成している。なお、始動入賞口１４や大入賞口も、遊技媒体を受け入れて入賞を許容する入賞領域を構成する。遊技領域７の左右周辺には、遊技中に点滅表示される装飾ランプ２５が設けられ、下部には、入賞しなかった遊技球を吸収するアウト口２６がある。また、遊技領域７の外側の左右上部には、効果音を発する２つのスピーカ２７が設けられている。遊技領域７の外周には、天枠ランプ２８ａ、左枠ランプ２８ｂおよび右枠ランプ２８ｃが設けられている。
【００２６】
そして、この例では、左枠ランプ２８ｂの近傍に、賞球払出中に点灯する賞球ＬＥＤ５１が設けられ、天枠ランプ２８ａの近傍に、補給球が切れたときに点灯する球切れＬＥＤ５２が設けられている。上記のように、この実施の形態のパチンコ遊技機１には、発光体としてのランプやＬＥＤが各所に設けられている。さらに、プリペイドカードが挿入されることによって球貸しを可能にするプリペイドカードユニット（以下、カードユニットという。）が、パチンコ遊技機１に隣接して設置される（図示せず）。
【００２７】
打球発射装置から発射された遊技球は、打球レールを通って遊技領域７に入り、その後、遊技領域７を下りてくる。遊技球が始動入賞口１４に入り始動口スイッチ１４ａで検出されると、図柄の可変表示を開始できる状態であれば、可変表示装置９において特別図柄が可変表示（変動）を始める。図柄の可変表示を開始できる状態でなければ、始動記憶数を１増やす。
【００２８】
可変表示装置９における特別図柄の可変表示は、一定時間が経過したときに停止する。停止時の特別図柄の組み合わせが大当り図柄（特定表示結果）であると、大当り遊技状態に移行する。すなわち、開閉板２０が、一定時間経過するまで、または、所定個数（例えば１０個）の遊技球が入賞するまで開放する。そして、開閉板２０の開放中に遊技球がＶ入賞領域に入賞しＶカウントスイッチ２２で検出されると、継続権が発生し開閉板２０の開放が再度行われる。継続権の発生は、所定回数（例えば１５ラウンド）許容される。
【００２９】
停止時の可変表示装置９における特別図柄の組み合わせが確率変動を伴う大当り図柄（確変図柄）の組み合わせである場合には、次に大当りとなる確率が高くなる。すなわち、確変状態という遊技者にとってさらに有利な状態となる。
【００３０】
次に、パチンコ遊技機１の裏面の構造について図２を参照して説明する。図２は、遊技機を裏面から見た背面図である。
【００３１】
図２に示すように、遊技機裏面側では、可変表示装置９を制御する演出制御手段が搭載された演出制御基板８０を含む可変表示制御ユニット４９、遊技制御用マイクロコンピュータ等が搭載された遊技制御基板（主基板）３１が設置されている。遊技制御用マイクロコンピュータは、遊技機全体の制御（換言すれば遊技の進行の制御）を実行する遊技制御手段を構成する。また、遊技制御用マイクロコンピュータは、上述した入賞口への遊技球の入賞を検出すると、球払出制御を行う払出制御用マイクロコンピュータに対して、所定個の景品としての遊技球を遊技者に対して払い出すように指令する。すなわち、遊技制御用マイクロコンピュータは、景品の付与に関わる制御を行う回路部品の一つである。主基板１３は、基板ボックスで覆われている。また、遊技機裏面側では、遊技制御用マイクロコンピュータからの指令に応じて遊技球を払い出す制御を行う払出制御用マイクロコンピュータ等が搭載された払出制御基板３７が設置されている。さらに、ＤＣ３０Ｖ、ＤＣ２１Ｖ、ＤＣ１２ＶおよびＤＣ５Ｖを作成する電源回路が搭載された電源基板９１０やタッチセンサ基板９１が設けられている。
【００３２】
遊技機裏面において、上方には、各種情報を遊技機外部に出力するための各端子を備えたターミナル基板１６０が設置されている。ターミナル基板１６０には、少なくとも、球切れ検出スイッチ１６７の出力を導入して外部出力するための球切れ用端子、賞球情報（賞球個数信号）を外部出力するための賞球用端子および球貸し情報（球貸し個数信号）を外部出力するための球貸し用端子が設けられている。また、中央付近には、主基板３１からの各種情報を遊技機外部に出力するための各端子を備えた情報端子基板（情報出力基板）３４が設置されている。
【００３３】
貯留タンク３８に貯留された遊技球は誘導レール３９を通り、カーブ樋を経て払出ケース４０Ａで覆われた球払出装置に至る。球払出装置の上部には、遊技媒体切れ検出手段としての球切れスイッチ１８７が設けられている。球切れスイッチ１８７が球切れを検出すると、球払出装置の払出動作が停止する。球切れスイッチ１８７は遊技球通路内の遊技球の有無を検出するスイッチであるが、貯留タンク３８内の補給球の不足を検出する球切れ検出スイッチ１６７も誘導レール３９における上流部分（貯留タンク３８に近接する部分）に設けられている。球切れ検出スイッチ１６７が遊技球の不足を検知すると、遊技機設置島に設けられている補給機構から遊技機に対して遊技球の補給が行われる。
【００３４】
図３は、内部に主基板３１を収容する基板ボックス１００の構成例を示す分解斜視図である。基板ボックス１００は、直方体において上の面が存在しない形状である枠状の下ケース（例えば合成樹脂製１０１）３０１に、直方体において下の面が存在しない形状である上ケース（例えば合成樹脂製１０１）が嵌り合う構造である。
【００３５】
上ケース１０１と下ケース３０１とが嵌り合った状態において、主基板３１は、基板ボックス１００の内部に収容される。また、上ケース１０１の平面（４つの側面以外の最も広い面、以下、上ケース１０１の上面１１０または基板ボックス１００の上面１１０ともいう。）１１０と主基板３１との間に、不正防止部材としての長方形の板状の中間部材２０１が設置される。
【００３６】
上ケース１０１の左右の両側面の内部に、中間部材２０１を設置するための板状の受け部１１１が設けられている。受け部１１１において、中間部材２０１と対向する面に、合成樹脂製の突起部（中間部材を着脱可能に支持するための支持部材）１５１が設けられている。また、中間部材２０１において、受け部１１１における突起部１５１に対応する部分に、取付用穴２２１が設けられている。作業者は、突起部１５１と取付用穴２２１とを位置合わせして中間部材２０１を突起部１５１の側に押し込むことによって、中間部材２０１の取付用穴２２１が突起部１５１に嵌った状態にすることができる。例えば、突起部１５１は、その根本において爪部を備えた構造であり、取付用穴２２１が突起部１５１に嵌った状態では、爪部が中間部材２０１に掛かって、中間部材２０１が上ケース１０１に支持された状態になる。また、作業者が手で爪部を押すことによって支持状態は解除され、中間部材２０１を上ケース１０１から外すことができる。
【００３７】
このように、中間部材２０１を基板ボックス１００にワンタッチで（作業者が工具などの道具や他の部品を用いないで手で）取り付けることができ、また、ワンタッチで取り外すことができる。なお、ワンタッチで中間部材２０１を脱着できる構造は、爪部を用いた構造に限られない。
【００３８】
なお、図３に示す位置関係において、基板ボックス１００の内部（具体的には、上ケース１０１の内部）において、主基板３１は、例えば、ねじ止めによって上ケース１０１に固定される。従って、上ケース１０１の上面１１０の内側には、雄ねじを受ける雌ねじ部が設けられている。なお、この実施の形態では、中間部材２０１のサイズは主基板３１のサイズよりも小さく、主基板３１を固定するための雄ねじは、上ケース１０１と中間部材２０１との間に生ずる空隙を通って、上ケース１０１の雌ねじ部に至る。
【００３９】
図３に示すように、中間部材２０１には、主基板３１に搭載されているマイクロコンピュータ等の回路部品が発生する熱を放熱穴１３１に放熱させるための複数（この例では８つ）の放熱穴（放熱通路）２３１が設けられ、さらに、上ケース１０１の上面１１０（すなわち表面）に複数（この例では８つ）の放熱穴１３１が設けられている。放熱穴２３１が設けられている位置は、放熱穴１３１が設けられている位置に対してずれている。すなわち、板状の主基板３１（中間部材２０１および上ケース１０１の上面１１０とほぼ平行に設置されている。）から中間部材２０１における放熱穴２３１に延ばした垂線上に上ケース１０１における放熱穴１３１は存在しない。すなわち、基板ボックスの表面を正面視したときに前記放熱穴と重複しない位置に設けられている。なお、位置が一致する放熱穴１３１，２３１がなければ、放熱穴１３１，２３１の個数は同数でなくてもよい。
【００４０】
放熱穴１３１，２３１の位置がずれている場合には、基板ボックス１００の外部から、金属等による細線を、主基板３１の回路部品にまで到達させることは困難である。上ケース１０１における放熱穴１３１に細線を通し、さらに、放熱穴１３１とは位置がずれている中間部材２０１における放熱穴２３１を通さないと、細線が主基板３１の回路部品にまで到達できないからである。
【００４１】
このように、この実施の形態では、上ケース１０１の上面１１０と主基板３１との間に、放熱穴２３１を有する中間部材２０１を設置することによって、放熱効果を低減させないようにすることができる上に、その放熱穴２３１の位置と、上ケース１０１の上面１１０における放熱穴１３１の位置とをずらすことによって、不正行為がなされることを防止することができる。
【００４２】
以下、基板ボックス１００の組み立て方を説明する。まず、上ケース１０１に中間部材２０１をワンタッチで装着する。次いで、主基板３１を上ケース１０１にねじ止めする。その状態で、上ケース１０１と下ケース３０１とを位置合わせする。そのとき、上ケース１０１のフランジ部１８１が、下ケース３０１における固着操作部３７２を有する壁部分の下に潜り込む。その状態で、固着部材３７３が装着された保持部材３７１を下方から壁部に固定することによって、上ケース１０１と下ケース３０１とが固着される。
【００４３】
実施の形態２．
放熱穴１３１，２３１が設けられている箇所において、金属製の細線等の異物（不正行為のために使用される部材（不正部材））の通過を阻害するような構造を設けると、さらに効果的に不正行為を防止することができる。図４は、そのような構造の一例を模式的に示す断面図である。
【００４４】
図４に示すように、放熱穴１３１，２３１の位置がずれているだけではなく、放熱穴１３１の設置個所において、異物（不正部材）の通過を阻害する通過阻害部材として、放熱穴１３１の周囲から下方に延びる筒状部材（例えば合成樹脂製）１４１が設けられている。さらに、通過阻害部材の一例である第２の筒状部材（例えば合成樹脂製）１４２と蓋部材（例えば合成樹脂製）１４３とが設けられている。図４には１カ所のみが示されているが、全ての放熱穴１３１について通過阻害部材が存在していることが好ましい。
【００４５】
筒状部材１４２は、放熱穴１３１の周囲から上に延びる筒状の部材であり、さらに、蓋部材１４３は、筒状部材１４２の上部を塞ぐような円形形状であって、放熱穴１３１の径よりもやや大きい径であることが好ましい。そして、筒状部材１４２の一部に穴が設けられ、中間部材２０１の側と外部と貫通するようになっている。従って、筒状部材１４２と蓋部材１４３とは、放熱穴１３１から離間した位置で放熱穴に対応する面（放熱穴を垂線方向（主基板３１および中間部材２０１に対して）に平行移動した場合にできる面）を塞ぐとともに、放熱穴を通過する空気の流れを屈曲させる蓋状部材（基板ボックス１００の表面を正面視したときに放熱穴と重複するように設けられた蓋状部材）を構成する。なお、筒状部材１４１および第２の筒状部材１４２を、上ケース１０１と一体成型してもよい。また、蓋部１４３を上ケース１０１と一体成型してもよい。
【００４６】
また、中間部材２０１において、通過阻害部材として、放熱穴２３１の周囲から上に延びる筒状部材２４１が設けられている。筒状部材２４１を、中間部材２０１と一体成型してもよい。なお、図４には１カ所のみが示されているが、全ての放熱穴２３１について通過阻害部材が存在していることが好ましい。
【００４７】
図４に示すように、上ケース１０１の上面１１０および中間部材２０１と平行であって筒状部材２４１の最頂部を通る平面を想定した場合、上ケース１０１における筒状部材１４１の最下部は、その平面よりも下になるように、筒状部材１４１，２４１は形成されている。すなわち、筒状部材１４１，２４１の端部（筒状部材２４１の最頂部、筒状部材１４１の最下部）は、垂線方向（主基板３１および中間部材２０１に対して）でオーバラップしている。換言すれば、筒状部材１４１，２４１の高さ（延設された部材の長さ）の和は、上ケース１０１の上面１１０と中間部材２０１との間の長さよりも大きい。
【００４８】
そのような位置関係にあれば、仮に、細線等の不正部材が放熱穴１３１を通過できたとしても、中間部材２０１における放熱穴２３１の方に不正部材を向かわせることは困難である。従って、本実施の形態では、第２の筒状部材１４２と蓋部１４３とによって不正部材を放熱穴１３１に挿入させることが困難だけでなく、中間部材２０１における放熱穴２３１に通過させることがより困難になる。その結果、不正部材を主基板３１に到達させることがより困難になる。なお、第２の筒状部材１４２と蓋部１４３に代えて、直立する２つの壁（一方の高さは他方よりも低い）と高い方の壁から水平に延びる屋根形状の部材を設けてもよい。また、基板ボックス１００の表面を正面視したときに放熱穴２３１と重複するような蓋状部材を、中間部材２０１において設けてもよい。
【００４９】
実施の形態３．
上記の実施の形態では、上ケース１０１において、上側に延びるような形状の第２の筒状部材１４２と蓋部１４３とによって不正部材を放熱穴１３１に挿入させることを困難にしたが、別の構造によって、そのような目的を実現してもよい。例えば、図５に示すように、下側に延びるような形状の筒状部材１６２と蓋部１６３とを設けてもよい。このような構造によれば、仮に、細線等の不正部材が放熱穴１３１を通過できたとしても、中間部材２０１における放熱穴２３１の方に不正部材を向かわせることは困難である。この場合にも、中間部材２０１に図４に示す筒状部材２４１を設け、蓋部１６２の位置が、筒状部材２４１の最頂部よりも低い位置（中間部材２０１により近い）にあることが好ましい。
【００５０】
以上に説明したように、上記の各実施の形態では、基板ボックス１００の内部において、放熱穴１３１が設けられている上面１１０と主基板３１との間に、放熱穴２３１を有する中間部材２０１を設け、放熱穴１３１の位置と放熱穴２３１の位置とをずらしたので、主基板３１に対する不正行為を効果的に防止することができる。また、放熱穴１３１，２３１の周辺に通過阻害部材が設けられているのでさらに効果的に、主基板３１に対する不正行為を防止できる。
【００５１】
さらに、図６に示すように、放熱穴１３１，２３１を塞ぐように、目の細かい金属の網等を用いた変形部材１７１，２７１を設けてもよい。そのような構成によれば、異物（不正部材）等の物体が放熱穴１３１，２３１を通過すると、変形部材１７１，２７１が破れたり変形したりするので、管理者等は、不正行為が行われた可能性があることを容易に認識することができる。
【００５２】
なお、変形部材１７１，２７１は、不正部材が通過すると形状の変形が現れ、変形形状が維持されるようなものであれば、金属の網に限られず、紙や合成樹脂等で形成してもよい。また、変形部材１７１，２７１の設置位置は図６に示された位置に限られず、不正部材が通過する可能性がある位置であれば、他の位置に設置してもよい。さらに、放熱穴１３１，２３１の周辺に通過素子部材が設けられている場合に限られず、放熱穴１３１，２３１のみが設けられている場合にも、変形部材を設けることによって、管理者等は、不正行為が行われた可能性があることを容易に認識することができる。また、変形部材１７１，２７１は、いずれか一方が設けられていてもよい。
【００５３】
また、上記の各実施の形態では、主基板３１についての基板ボックス１００を例にしたが、遊技機における他の制御基板について本発明を適用することもできる。
【００５４】
また、上記の各実施の形態のパチンコ遊技機は、始動入賞にもとづいて可変表示部９に可変表示される特別図柄の停止図柄が所定の図柄の組み合わせになると所定の遊技価値が遊技者に付与可能になる第１種パチンコ遊技機であったが、始動入賞にもとづいて開放する電動役物の所定領域への入賞があると所定の遊技価値が遊技者に付与可能になる第２種パチンコ遊技機や、始動入賞にもとづいて可変表示される図柄の停止図柄が所定の図柄の組み合わせになると開放する所定の電動役物への入賞があると所定の権利が発生または継続する第３種パチンコ遊技機であっても、本発明を適用できる。さらに、本発明による遊技機はパチンコ遊技機に限られず、本発明をスロット機などの他の遊技機に適用することもできる。
【００５５】
なお、特開２００１−２０４９３７号公報には、遊技機の前面に設けられている透視窓から不正部材としてのピアノ線が挿入されることを防止するために、不正防止用のリブを設ける構成が開示されている。しかし、そのようなリブは、不正行為を防止するために用いられているのであるが、放熱効果を維持するためのものではない。
【産業上の利用可能性】
【００５６】
本発明は、不正行為によって不正に景品が付与される可能性があるパチンコ遊技機等の遊技機に適用可能である。
【図面の簡単な説明】
【００５７】
【図１】パチンコ遊技機を正面からみた正面図である。
【図２】遊技機を裏面から見た背面図である。
【図３】基板ボックスの構成例を示す分解斜視図である。
【図４】通過阻害部材を有する基板ボックスの構成例を模式的に示す断面図である。
【図５】通過阻害部材を有する基板ボックスの構成例を模式的に示す部分断面図である。
【図６】変形部材を有する基板ボックスの構成例を模式的に示す断面図である。
【符号の説明】
【００５８】
１      パチンコ遊技機
３１    主基板（遊技制御基板）
１００  基板ボックス
１０１  上ケース
１３１  放熱穴
１４１  筒状部材
１４２  第２の筒状部材
１４３  蓋部
２０１  中間部材
２３１  放熱穴（放熱通路）
２４１  筒状部材
３０１  下ケース
【図１】
2005160595.tif 000003
【図２】
2005160595.tif 000004
【図３】
2005160595.tif 000005
【図４】
2005160595.tif 000006
【図５】
2005160595.tif 000007
【図６】
2005160595.tif 000008